(57)【特許請求の範囲】
【請求項１】
電子写真デバイス内の感光体から水分を除去する方法であって、
感光体表面を有するドラムを設けるステップと、
前記感光体表面を帯電するヒータ無し固体帯電デバイスを設けるステップと、
前記固体帯電デバイスに電力を供給する単一の電源を設けるステップと、
前記ヒータ無し固体帯電デバイスを用いて前記感光体表面を帯電するとともに同時に加熱して、前記感光体表面から水分を除去し、それによって画像のぼやけを排除するステップと、を含む、方法。
【請求項２】
前記感光体の一様な帯電および一様な加熱を達成するように、前記固体帯電デバイスの位置を定めるステップを含む、請求項１に記載の方法。
【請求項３】
前記感光体表面から約１．５ｍｍ離れて、前記固体帯電デバイスの位置を定めるステップを含む、請求項１に記載の方法。
【請求項４】
前記感光体表面から少なくとも１．５ｍｍ離れて、前記固体帯電デバイスの位置を定めるステップを含む、請求項１に記載の方法。
【請求項５】
前記固体帯電デバイスは、前記感光体表面に対して非接触である、請求項１に記載の方法。
【請求項６】
前記固体帯電デバイスと前記感光体表面との間の空気の温度を測定するように、サーミスタの位置を定めるステップを含む、請求項５に記載の方法。
【請求項７】
前記固体帯電デバイスを設けるステップは、前記固体帯電デバイスを前記電子写真デバイスへ組み込むステップを含む、請求項１に記載の方法。
【請求項８】
前記固体帯電デバイスは、前記ドラムの外側から前記感光体表面を加熱する、請求項１に記載の方法。
【請求項９】
高湿度による画像品質不良を軽減するために、前記固体帯電デバイスに交流電圧を与え、該交流電圧の大きさのオン／オフ制御により前記固体帯電デバイスの加熱を制御するステップを含む、請求項１に記載の方法。
【請求項１０】
感光体の表面を外部から加熱する方法であって、
ドラムを設けるステップと、
前記ドラム上に、表面部分を含む感光体基板を設けるステップと、
２つの導電層の間に位置を定められた誘電体層を支持するセラミック基板を含む２重機能の固体帯電デバイスを設けるステップと、
前記２つの導電層を単独で付勢して、前記感光体基板を帯電するとともに同時に前記感光体基板の前記表面部分の温度を高くして水分を除去し、それによって高湿度環境における前記感光体基板の前記表面部分上の画像のぼやけを排除するステップとを含む、方法。
【請求項１１】
前記感光体基板の前記表面部分に、一様な帯電および一様な加熱をもたらすステップを含む、請求項１０に記載の方法。
【請求項１２】
電子写真装置に、前記ドラムおよび前記固体帯電デバイスを組み込むステップを含む、請求項１０に記載の方法。
【請求項１３】
前記感光体基板の前記表面部分から少なくとも１．５ｍｍ離れて、前記２重機能の固体帯電デバイスの位置を定めるステップを含む、請求項１０に記載の方法。
【請求項１４】
前記感光体基板の前記表面部分から約１．５ｍｍ離れて、前記２重機能の固体帯電デバイスの位置を定めるステップを含む、請求項１０に記載の方法。
【請求項１５】
前記２重機能の固体帯電デバイスは、前記感光体表面に対して非接触である、請求項１０に記載の方法。
【請求項１６】
シート上の画像のぼやけを防止する方法であって、
画像を処理して前記シート上へ印刷する印刷装置を設けるステップと、
前記画像を現像する画像現像装置を前記印刷装置に設けるステップと、
前記シート上へ前記画像を転写する転写デバイスを前記印刷装置に設けるステップと、
前記シート上に前記画像を定着する定着器を前記印刷装置に設けるステップと、
前記印刷装置に、ドラム感光体および２重利用のグリッド無しスコロトロン帯電デバイスを設けるステップであって、前記２重利用のグリッド無しスコロトロン帯電デバイスは、２つの導電層の間に位置を定められた誘電体層を支持するセラミック基板を含むステップと、
前記２つの導電層の付勢によって発生されるコロナを単独で使用して、前記ドラム感光体の表面を帯電するとともに同時に前記感光体の前記表面を加熱して、高湿度環境における前記ドラム感光体表面上の画像のぼやけを排除するステップとを含む、方法。
【請求項１７】
前記ドラム感光体の前記表面から少なくとも１．５ｍｍ離れて、前記２重利用のグリッド無しスコロトロン帯電デバイスの位置を定めるステップを含む、請求項１６に記載の方法。
【請求項１８】
前記ドラム感光体の前記表面から約１．５ｍｍ離れて、前記２重利用のグリッド無しスコロトロン帯電デバイスの位置を定めるステップを含む、請求項１６に記載の方法。
【請求項１９】
前記２重利用のグリッド無しスコロトロン帯電デバイスは、前記ドラム感光体の前記表面に対して非接触である、請求項１６に記載の方法。
【請求項２０】
前記ドラム感光体の一様な帯電および一様な加熱を達成するように、前記２重利用のグリッド無しスコロトロン帯電デバイスの位置を定めるステップを含む、請求項１６に記載の方法。
【発明の詳細な説明】
【技術分野】
【０００１】
本開示は、静電写真印刷装置に関し、さらに詳細にはこのような機器に用いられる感光体を外部から加熱することに関する。
【背景技術】
【０００２】
典型的には、プリンタの静電写真印刷プロセスにおいて、光導電性メンバまたは感光体メンバは、メンバの表面に感光性を与えるために、帯電デバイスによって実質的に一様な電位に帯電される。感光体メンバの帯電部分は露光されて、メンバ上の照射領域内の電荷を選択的に消散させる。これにより、感光体メンバ上に静電潜像が記録される。静電潜像が感光体メンバ上に記録された後、現像剤部材をメンバと接触させることによって、潜像が現像される。一般に、現像剤部材は、キャリア粒体に摩擦電気的に付着するトナー粒子を含む。トナー粒子は、キャリア粒体から、ドナーロールかそれとも感光体メンバ上の潜像かへ引き付けられる。次いでドナーロールへ引き付けられたトナーは、通例は感光体である電荷保持表面の静電潜像上に堆積される。次いでトナー粉像は、感光体メンバからコピー基板へ転写される。
【０００３】
トナー部材を支持メンバ上へ加熱によって恒久的に固定定着するまたは溶融定着するために、トナー部材の構成物質が合体してべとつくようになる点まで、トナー部材の温度を高める必要がある。この動作が原因で、トナーは、支持メンバの繊維もしくは小孔に、またはそうでない場合は支持メンバの表面に、ある程度まで流れる。その後、トナー部材が冷却するにつれて凝固することにより、トナー部材は、支持メンバに堅固に接合されるようになる。
【０００４】
転写は、典型的には、印刷シートが感光体メンバと接触している状態またはそうでない場合は感光体メンバに近接した状態となるための交流および直流バイアスを、「転写−分離ゾーン」（しばしばちょうど「転写ゾーン」と略記される）が作り出すことによって実行される。転写ゾーン内で用紙または他の基板の背面に（すなわち感光体メンバから離れた面に）加えられた直流バイアスは、感光体メンバから、用紙または転写ゾーンに提供される他の基板へ、トナーを静電気的に転写する。トナー粒子は加熱されて、コピー基板に粉像を恒久的に付着する。バイアス転写ロール、例えば米国特許第３，８４７，４７８号明細書に開示された分割バイアスロールもまた、感光体メンバから媒体へ画像を転写するのに用いられる。
【０００５】
相対湿度が７０％を上回るような高湿度環境において、ときどき一部のマシンでは、コロナ放電によって発生した一部のイオン種が、感光体表面上の水分と結合して導電経路を形成するとき、問題に直面する。静電潜像に対応する表面電荷は、移動する。これにより、潜像の完全な状態は歪むことになる。その結果は、画像のぼやけとして観察される。感光体表面を積極的にリフレッシュすること（典型的には２０〜１００ｎｍ／キロサイクルの範囲内にある高摩耗レート）は、この問題を回避するのに用いられる通常の方法である。当技術分野で十分に周知のことは、例えば米国特許第４，１６１，３５７号明細書、米国特許第５，０１９，６８２号明細書、および米国特許第７，５９９，６４２  Ｂ２号明細書に示されるように、表面水分を低減するために、通例は感光体ドラムの内部に備わっているドラム加熱器を用いることである。感光体上の水分を制御する別の技術は、感光体組成物内に、この影響を低減する部材添加物を加えることに関連している。さらに加えて、帯電デバイスの周りの空気を循環させたり、帯電デバイス上に高価なコーティングを用いたりする試みが、なされてきた。これらの従来の解決策は、費用の加算、消費電力の追加、感光体寿命の低下、または動作環境上の制限などの関連した不利益を有していた。
【０００６】
それゆえに、感光体の表面の水分を制御する、安価な、低消費電力の、および感光体の寿命に有害でない方法の必要性が、依然として存在する。
【発明の概要】
【課題を解決するための手段】
【０００７】
この必要性に答えて、高湿度状態にある感光体に関連した画像品質不良を軽減するために、感光体を同時に帯電するとともに加熱する厚膜フィルム帯電デバイスを設けることを含めて、消費電力を追加せずにまたはスペース／ハードウェア要件を追加せずに、電子写真光導電体を外部から加熱する方法が、以下に提供される。
【０００８】
主題の装置または方法の特定のコンポーネントに関しては、通常の場合、このようなコンポーネントは、それ自体が他の装置または用途において周知のことであり、本明細書で引用される技術からのものを含めて、本明細書で追加してまたは代替として用いることができることが理解されるだろう。例えば、本明細書で説明される特定のコンポーネント装着、コンポーネント動作、またはコンポーネント駆動システムのうちの多くは、単に典型的なものにすぎず、同一の新規性のある動作および機能が、周知のまたは容易に入手可能な、他の多くの代替策によって提供することができることが、各エンジニアなどによって理解されることになる。追加のまたは代わり詳細、特徴、および／または技術的背景を教示するのに適切なすべての引用文献およびそれらの参考文献は、本明細書で参照することによって援用される。当業者に周知のことは、本明細書で説明する必要はない。
【図面の簡単な説明】
【０００９】
【図１】本開示の２重目的の厚膜フィルム帯電デバイスを含む典型的なモジュール式電子写真プリンタの部分的な正面図である。
【図２】図１の印刷装置に用いられる、本開示に従う厚膜フィルム帯電デバイスの斜視図である。
【図３】図２に示される電極のイオン生成を制御する電気的概略図である。
【図４】厚膜フィルム帯電デバイスの動作を示す描写である。
【図５】特定の時間にわたる感光体の周りの空気の加熱状態を示す図である。
【発明を実施するための形態】
【００１０】
次に図１を参照すると、本開示に従って、感光体の表面上の水分を制御するために、感光体の表面を外部から加熱する改善された方法を含む、電子写真印刷システムが示される。用語「印刷システム」は、本明細書では、任意の関連周辺機器またはモジュール式デバイスを含むプリンタ装置を包含し、用語「プリンタ」は、本明細書では、任意の目的用に印刷出力機能を実行する、デジタルコピー機、書籍制作マシン、ファックス、複合機などの任意の装置を包含する。
【００１１】
図１に、矢印８の方向に、クリーニングデバイス１２０、現像剤１４０、転写デバイス１５０、分離デバイス１６０、厚膜フィルム帯電デバイス２００、露光デバイス１７０およびコントローラ１８０などの処理ステーションを通して進む感光体１１０を含むマーキングデバイス１００が示される。コントローラ１８０は、厚膜フィルム帯電デバイス２００によって感光体１１０に加えられる電荷を制御し、次いで露光デバイス１７０からの画像通りの光パターンが、感光体１１０を露光して光放電する。続いて、帯電されたトナー粒子が、感光体１１０の放電領域に付着するように提供され、次いでコントローラが、感光体１１０に加えられた電荷とは逆符号の電荷を、転写デバイス１５０に位置する受け入れ基板へ加える動作を制御して、画像通りのパターンを保持しながら、現像されたトナーを移動させ、分離デバイス１６０を経由して基板へ電荷がいくらか追加されて、感光体１１０から基板をはぎ取ることを容易にする。次いで残留トナーは、クリーニング部１２０によって感光体１１０からクリーニングされる。
【００１２】
本開示に従って、グリッド無し２重機能のスコロトロン（コロナ帯電器）すなわち厚膜フィルム帯電デバイス２００によって生成された熱は、図２〜図４に示されるように感光体１１０上の水分を制御することによって、画像のぼやけを防止するのに用いられる。図２のグリッド無しスコロトロンは、感光体１１０の表面にごく近接するが接しないで位置決めされて、感光体を帯電するとともに同時に温める。厚膜フィルム帯電デバイス２００は、２つの導電層２０６および２０８との間に位置を定められた誘電体層２０２を支持するセラミック基板２０１を含む。導電層２０６は、その中にスロット２１０および２１２を含み、一方で導体２０８は、２つの導電細片の形をして、これらが上側電極のスロット２１０および２１２の下にある状態になっている。コロナ放電は、スロット２１０および２１２の内部で作り出される。非接触の厚膜フィルムデバイス２００は、自由スペースに、すなわち放熱体には囲まれずに感光体１１０の表面にごく近接して、配置される。非接触のグリッド無しスコロトロンは、図１に示されるように感光体１１０にまっすぐに平行に整列して、感光体の一様な帯電および一様な加熱を達成する。導電層２０６および２０８に電圧を加えると、比較的高い、実質的に一様な電位に感光体の表面を帯電するとともに、同時に感光体の表面の温度を高くする。グリッド無しスコロトロンの動作の本質性により、薄いセラミック基板がスペース内で自由に浮遊することが可能となり、オゾンの発生を最小化する臨界温度が達成される。
【００１３】
図３の電気的概略図は、２ライン動作モードにおけるグリッド無しスコロトロンデバイス２００を描写する。各ラインは１つの電極（下側導体）を有し、すべての電極は共通の上側導体（図２）を有する。電極の数は、帯電デバイスの用途、ならびにその用途に必要なセラミック基板の物理的寸法および電力量に依存する。
【００１４】
帯電デバイスの部材を選ぶことによって、厚膜フィルム回路が、ピーク・トゥ・ピークで３０００ボルトの高さの交流および直流電圧を取り扱うことが可能となる。セラミックの剛性により、感光体１１０に隣接して、デバイスをその端部で支持しながらつるすことが可能となる。
【００１５】
スイッチＳ−Ａは、第１電極へ供給される交流高電圧を制御し、一方スイッチＳ−Ｂは、第２電極へ交流高電圧を供給する。コロナ放電を打ち出すために、帯電デバイスの動作には、ピーク・トゥ・ピークで１８００ボルトを上回る交流電圧が必要であった。上側導体は、可変直流電圧源に接続される
【００１６】
コロナ放電は、電極が交流高電圧を受けると発生する。電極を囲む電場は、スロット２１０および２１２（図２）における上側導体の指状突起部間の誘電体表面上で、空気分子をイオン化させる。上側導体は、感光体表面上で帯電を確立し制御する直流電圧まで、さらに電圧を加えられる。グリッド無しスコロトロンは、直流電荷が上端の導電層から感光体表面上へ流れることを可能にするとともにセラミック基板を高温度に加熱する、プラズマ場を発生させる。
【００１７】
図４に示されるグリッド無しスコロトロン２００の動作を示す描写において、ここではボックス２６０として表されるグリッド無しスコロトロンに電圧を加えるボックス２５０で表されるような電圧制御部によってプラズマ場が発生して、直流電荷がそのデバイスの上端の導電層から感光体１１０表面上へ流れることが可能となるとともに、セラミック基板が高温度に加熱される。グリッド無しスコロトロンによって発生した熱は、サーミスタ２７０によって測定される。グリッド無しスコロトロンと感光体１１０表面との間の空気を、感光体表面上の任意の水分を排除するのにちょうど足りる程度まで加熱しながら、同時に感光体の表面を帯電するためには、感光体１１０に対するグリッド無しスコロトロンの配置は決定的に重要である。
【００１８】
図５に図示されるように、ラインＬによって表されるグリッド無しスコロトロンは、１０秒の動作以内で７１．５°Ｃの温度を達成する。グリッド無しスコロトロンから１．５ｍｍのところにある周囲空気は、ラインＭによって表されるように約２９°Ｃとなり、周囲から７°Ｃの増加量となる。感光体は、回転しながら一様に温まり始める。ラインＮによって表されるように、ドラムは、他のどんな加熱エレメントも必要とせずに、６０秒以内に２４°Ｃとなることになる。これらの温度は、クリーニングブレードを使用せずに、開放系で達成された。
【００１９】
これまで説明された感光体の表面から水分を除去する方法の利点は、感光体表面に接するバイアス帯電ロール（ＢＣＲ：Ｂｉａｓ  Ｃｈａｒｇｅ  Ｒｏｌｌ）の帯電システムが典型的には感光体に振動を伝えるが、固体帯電デバイス２００が感光体に振動を伝えないので、感光体表面厚を低減することができて、より速く加熱することが可能となることである。ＢＣＲ帯電システムは、感光体に交流電流周波数で「歌わせる」とともに、振動を弱めるために感光体基板に追加の質量を必要とさせる。より厚いアルミニウムまたは追加の樹脂消音器として存在することができるこの追加の質量を低減すると、追加のコストを節約することになる。
【００２０】
要約すると、本開示のグリッド無し固体帯電スコロトロンの実施の形態は、高湿度状態にある感光体に関連した画像品質不良を軽減するために、感光体を帯電しながら同時に感光体を加熱するように構成される。固体帯電は、直流オフセットされた交流電圧波形に基づいて、基板上に位置を定められた一式の誘電体支持電極において、交流コロナ放電を発生させる。交流の周波数および振幅の組み合わせにより、誘電体が基板を加熱することになる。帯電デバイスが感光体に近接していると、感光体が穏やかに加熱されることになり、順繰りに湿度で引き起こされる横方向への電荷移動および高湿度における画像のぼやけが低減されることになる。それゆえに、帯電デバイスそれ自体によって発生する熱を用いて、高湿度でときどき発生する画像品質不良を軽減することの利益が理解される。加熱は、交流ピーク・トゥ・ピーク電圧の大きさでオン／オフ制御することができるようにもくろまれる。
【図１】
0005840073.tif 000002
【図２】
0005840073.tif 000003
【図３】
0005840073.tif 000004
【図４】
0005840073.tif 000005
【図５】
0005840073.tif 000006